(57)【特許請求の範囲】
【請求項１】
ディジタル変調信号を受信し中間周波信号に変換する複数段の周波数変換手段と、
前記複数段の周波数変換手段から出力される前記中間周波信号を検波する復調手段と、
前記復調手段で復調したディジタル信号の極性を制御する極性制御手段と、
前記複数段の周波数変換手段の各局部発振周波数を受信周波数に対して上側に設定するか下側に設定するかを個別に制御する周波数制御手段とを備え、
前記周波数制御手段は前記各局部発振周波数の設定状況に応じて前記ディジタル信号の極性が正規の極性となるように前記極性制御手段を制御することを特徴とするディジタル受信装置。
【請求項２】
前記複数段の周波数変換手段は第１および第２の周波数変換手段からなり、前記第１および第２の周波数変換手段の各局部発振周波数が受信周波数に対して互いに反対側に設定されている場合は、前記周波数制御手段によって前記極性制御手段を制御して前記ディジタル信号の極性を反転制御することで正規の極性とすることを特徴とする請求項１記載のディジタル受信装置。
【発明の詳細な説明】
【０００１】
【発明の属する技術分野】
本発明は、ディジタル変調信号を受信して復調するディジタル受信装置に関し、とくに受信したディジタル信号の極性を正しく復調することができるディジタル受信装置に関するものである。
【０００２】
【従来の技術】
従来の無線受信装置は、受信フィルタの周波数特性などにより、受信スプリアス等を除去できないときに、局部発振器の周波数を上側ヘテロダイン（受信周波数＋中間周波数）から下側ヘテロダイン（受信周波数−中間周波数）に変更するなどして、受信スプリアス等を除去し、正常に受信できるようにしていた。
【０００３】
【発明が解決しようとする課題】
しかし、ヘテロダイン方式を変更すると、このとき送られてくる無線信号の極性が反転してしまうことがあり、無線信号がアナログ信号の場合は支障がないがディジタル信号の場合は全く別の意味の信号になってしまう。
【０００４】
このため、局部発振器の周波数を上側ヘテロダインと下側ヘテロダインとの間で安易に切り換えることができず、またフィルタ等の特性ごとに反転回路の有無が異なるなど、回路上の制約が大きかった。
【０００５】
本発明は、このような従来の課題を解決するためになされたもので、局部発振器の周波数を上側ヘテロダインまたは下側ヘテロダインに切り換えても、ディジタル信号の極性を正しく復調することができるディジタル受信装置を提供するものである。
【０００６】
【課題を解決するための手段】
本発明のディジタル受信装置は、ディジタル変調信号を受信し中間周波信号に変換する複数段の周波数変換手段と、複数段の周波数変換手段から出力される中間周波信号を検波する復調手段と、復調手段で復調したディジタル信号の極性を制御する極性制御手段と、複数段の周波数変換手段の各局部発振周波数を受信周波数に対して上側に設定するか下側に設定するかを個別に制御する周波数制御手段とを備え、周波数制御手段は各局部発振周波数の設定状況に応じてディジタル信号の極性が正規の極性となるように極性制御手段を制御する構成を有する。
【０００７】
この構成により、周波数制御手段は複数段の局部発振周波数が上側ヘテロダインか下側ヘテロダインかに応じて正負反転するディジタル復調信号の極性を正規の極性となるように極性制御手段を制御することとなる。
【０００８】
また、本発明のディジタル受信装置において、複数段の周波数変換手段は第１および第２の周波数変換手段からなり、前記第１および第２の周波数変換手段の各局部発振周波数が受信周波数に対して互いに反対側に設定されている場合は、周波数制御手段によって極性制御手段を制御してディジタル信号の極性を反転制御することで正規の極性とする構成を有する。
【０００９】
この構成により、周波数制御手段は第１および第２の局部発振周波数が受信周波数に対して互いに反対側に設定されている場合は、周波数制御手段によって極性制御手段を制御してディジタル信号の極性を反転制御することで正規の極性となるように制御することとなる。
【００１０】
【発明の実施の形態】
以下、本発明の実施の形態について、図面を用いて説明する。
【００１１】
（実施の形態１）
図１は、本発明によるディジタル受信装置の実施の形態１の構成を示すブロック図である。本実施の形態によるディジタル受信装置は、電波を受信する受信アンテナ１１と、受信アンテナ１１で受信した高周波信号を増幅する高周波増幅器１２と、ＰＬＬシンサイザ構成の第一局部発振器１３と、高周波増幅器１２の出力および第一局部発信器１３の出力を混合して第一中間周波数信号を作り出す第一周波数混合器１４と、第一中間周波数信号を増幅する第一中間周波増幅器１５とを備え、第一局部発振器１３および第一周波数混合器１４によって第１の周波数変換手段を構成している。
【００１２】
さらに、このディジタル受信装置は第二局部発信器１６と、第一中間周波増幅器１５の出力および第二局部発信器１６の出力を混合して第二中間周波数信号を作り出す第二周波数混合器１７と、この第二中間周波数信号を増幅する第二中間周波増幅器１８と、第二中間周波数信号を復調する復調器１９と、復調したディジタル信号の極性を制御する極性制御器２０とを備え、第二局部発振器１６および第二周波数混合器１７によって第２の周波数変換手段を構成している。
【００１３】
さらに、このディジタル受信装置は図示せぬ操作部の操作に基づいて所定の受信波を受信できるように第一局部発信器１３および第二局部発信器１６の発振周波数を制御する周波数制御部２１と、この周波数制御部２１に接続されたメモリ部２２とを備える。
【００１４】
周波数制御部２１はメモリ部２２に記憶されているテーブルを参照し、ディジタル信号の極性が正しくなるように極性制御器２０を制御する構成を有する。図２は、メモリ部２２に記憶されているテーブルの内容を示す図で、第一局部発信器（１ｓｔローカル）１３および第二局部発信器（２ｎｄローカル）１６の局部発振周波数が上側ヘテロダイン（ＵＰＰＥＲ）か下側ヘテロダイン（ＬＯＷＥＲ）かによって、ディジタル復調信号の極性が正か負かを記憶している。
【００１５】
次に、本実施の形態によるディジタル受信装置の動作について説明する。このディジタル受信装置は受信アンテナ１１でＦＭ変調された高周波信号を受信すると、高周波信号を高周波増幅器１２で増幅し、第一周波数混合器１４および第一中間周波増幅器１５で第一中間周波数信号に変換する。さらに第二周波数混合器１７および第二中間周波増幅器１８で第二中間周波数信号に変換する。
【００１６】
この結果、第二中間周波増幅器１８からは、例えば４５０ｋＨＺの中間周波数信号が出力される。復調器１９はこの中間周波数信号をＦＭ復調し、極性制御器２０を経てディジタル信号として出力される。
【００１７】
周波数制御部２１は所望の高周波信号を受信するために、第一および第二の局部発信器１３および１６の局部発振周波数を設定し、４５０ｋＨＺの中間周波数信号を取り出すようにする。
【００１８】
このとき、周波数制御部２１は第一および第二の局部発信器１３および１６の局部発振周波数を受信周波数に対して上側に設定したか下側に設定したかに応じてメモリ部２２からディジタル復調信号の極性を読み出し、正極性であれば復調器１９で復調したディジタル信号を極性制御器２０からそのまま出力し、負極性であれば復調器１９で復調したディジタル信号を極性制御器２０で反転して出力する。
【００１９】
（実施の形態２）
図４は、本発明によるディジタル受信装置の実施の形態２の構成を示すブロック図で、実施の形態１と同一の構成部分には同一符号を付して説明する。
【００２０】
本実施の形態によるディジタル受信装置は、復調器１９の出力側に極性制御器２１に代えて、反転器２３ａおよび切替スイッチ２３ｂからなる極性切替器２３を設けた点を除いては、前述の実施の形態１と同一の構成を有している。
【００２１】
次に、本実施の形態によるディジタル受信装置の動作について説明する。このディジタル受信装置は受信アンテナ１１でＦＭ変調された高周波信号を受信すると、高周波信号を高周波増幅器１２で増幅し、第一周波数混合器１４および第一中間周波増幅器１５で第一中間周波数信号に変換する。さらに第二周波数混合器１７および第二中間周波増幅器１８で第二中間周波数信号に変換する。
【００２２】
この結果、第二中間周波増幅器１８からは、例えば４５０ｋＨＺの中間周波数信号が出力される。復調器１９はこの中間周波数信号をＦＭ復調し、極性切替器２３を経てディジタル信号として出力される。
【００２３】
周波数制御部２１は所望の高周波信号を受信するために、第一および第二の局部発信器１３および１６の局部発振周波数を設定し、４５０ｋＨＺの中間周波数信号を取り出すようにする。
【００２４】
このとき、周波数制御部２１は第一および第二の局部発信器１３および１６の局部発振周波数を受信周波数に対して上側に設定したか下側に設定したかに応じてメモリ部２２からディジタル復調信号の極性を読み出し、正極性であれば復調器１９で復調したディジタル信号を極性切替器２３の切替スイッチ２３ｂで正極性側に切り替えて出力し、負極性であれば復調器１９で復調したディジタル信号を極性切替器２３の切替スイッチ２３ｂで負極性側に切り替えて出力する。
【００２５】
【発明の効果】
以上説明したように、本発明は複数段の局部発振器の発振周波数が上側ヘテロダインか下側ヘテロダインかの組み合わせ応じて極性制御手段を周波数制御手段で制御することにより、正負反転するディジタル復調信号の極性を正規の極性となるように制御することができるディジタル受信装置を提供することができるものである。
【図面の簡単な説明】
【図１】本発明によるディジタル受信装置の実施の形態１の構成を示すブロック図
【図２】メモリ部に記憶されている極性制御用テーブルの内容を示す図
【図３】本発明によるディジタル受信装置の実施の形態２の構成を示すブロック図
【符号の説明】
１１  受信アンテナ
１２  高周波増幅器
１３  第一局部発信器
１４  第一周波数混合器
１５  第一中間周波増幅器
１６  第二局部発信器
１７  第二周波数混合器
１８  第二中間周波増幅器
１９  復調器
２０  極性制御器
２１  周波数制御部
２２  メモリ部
２３  極性切替器
２３ａ  反転器
２３ｂ  切替スイッチ
【図１】
0004405054.tif 000002
【図２】
0004405054.tif 000003
【図３】
0004405054.tif 000004